(57)【特許請求の範囲】
【請求項１】
プライバシースクリーンであって、
光源と、
第１平面及び第２平面を備えているパネルであって、少なくとも部分的に透明であり、及び前記パネルの少なくとも一つの端部上で前記光源からの光を受けるように前記光源に対応して配置されており、さらに前記受光した光が前記パネルに入り、その中へ伝搬するように構成されているパネルと、
前記第１平面上に配置された複数の光抽出ドットであって、前記パネル内部を伝搬している光を、前記第１平面と前記第２平面の少なくとも一つを一様に横切って抽出するように構成されており、前記光源により提供された光とは異なる色の光を、前記第１平面と前記第２平面の少なくとも一つを通って抽出するように構成された複数の光抽出ドットと、を備え、
前記複数の光抽出ドットの少なくとも一つは、前記第１平面に最も近く配置された内層と、前記内層上に少なくとも部分的に配置された外層を備え、前記外層は、第１の色の周辺光を反射する第１の着色材料または前記パネル内部を伝搬する第１の色の光を抽出する第１の着色材料を備え、前記内層は前記パネル内部を伝搬する第２の色の光を反射する第２の着色材料を備えており、前記第１の色は前記第２の色とは異なっているプライバシースクリーン。
【請求項２】
前記複数の光抽出ドットは、前記パネル内を伝搬する光を前記第１平面と前記第２平面の両方を通って抽出するように構成されている請求項１のプライバシースクリーン。
【請求項３】
前記複数の光抽出ドットは、前記第２平面を通って抽出された光とは異なる色の光を、前記第１平面を通って抽出するように構成されている請求項１に記載のプライバシースクリーン。
【請求項４】
前記外層の一部は、前記第１平面上に配置されている請求項１に記載のプライバシースクリーン。
【請求項５】
前記外層は、前記第１の色の周辺光を反射する前記第１の着色材料を備えている請求項１に記載のプライバシースクリーン。
【請求項６】
前記第１の色は、白色である請求項５に記載のプライバシースクリーン。
【請求項７】
前記外層は、前記パネル内部を伝搬する第１の色の光を抽出する前記第１の着色材料を備えている請求項１に記載のプライバシースクリーン。
【請求項８】
前記複数の光抽出ドットの一つの少なくとも一部と前記第１平面との間に配置された隔離層をさらに備えている請求項１に記載のプライバシースクリーン。
【請求項９】
複数の非抽出体と、
前記複数の非抽出体と前記第１平面との間に配置された隔離層と、をさらに備えており、
前記複数の非抽出体と前記複数の光抽出ドットは均一なパターンで互いに配置されている請求項１に記載のプライバシースクリーン。
【請求項１０】
前記複数の非抽出体は、一つ以上のドットを備えている請求項９に記載のプライバシースクリーン。
【請求項１１】
前記第１平面上に配置された一つ以上の二次ドットをさらに備えており、それぞれの二次ドットは一つの前記光抽出ドットより少ない光を抽出するように構成されている請求項１に記載のプライバシースクリーン。
【請求項１２】
前記複数の光抽出ドット及び前記一つ以上の二次ドットは、共にパターンを有して配置されている請求項１１に記載のプライバシースクリーン。
【請求項１３】
前記第２平面上に配置された複数の光抽出ドットをさらに備えている請求項１に記載のプライバシースクリーン。
【請求項１４】
前記第２平面上に配置された前記複数の光抽出ドットは、第１の色の光を抽出するように構成されており、及び前記第１平面上に配置された前記複数の光抽出ドットは、第２の色の光を抽出するように構成されており、前記第１の色は前記第２の色とは異なっている請求項１３に記載のプライバシースクリーン。
【請求項１５】
前記複数の光抽出ドットは、前記第１平面にわたって均一なパターンで配置されている請求項１に記載のプライバシースクリーン。
【請求項１６】
前記複数の光抽出ドットは、異なる大きさの光抽出ドットを備えている請求項１に記載のプライバシースクリーン。
【請求項１７】
照明器具であって、
少なくとも第１の構成と第２の構成との間で切り替わるように構成された光源であって、前記第１の構成より前記第２の構成においてより多くの光を放出する光源と、
第１平面及び第２平面を備えている少なくとも部分的に透明なパネルであって、前記パネルの端部を通って前記光源から光を受け、前記パネル内で前記光を伝搬するように構成されているパネルと、
前記第１平面と前記第２平面の少なくとも一つの上に配置された複数の光抽出体であって、前記パネル内部を伝搬する光を前記第１平面と前記第２平面を通って抽出するように構成された複数の光抽出体と、
を備えており、
前記パネルを通して見られる像のコントラストが、前記第２の構成より前記第１の構成において大きくなるように、前記複数の光抽出体は、前記第１の構成より前記第２の構成においてより多くの光を抽出し、
前記複数の光抽出体の少なくとも一つは、前記パネルに最も近く配置された内層と、前記内層上に少なくとも部分的に配置された外層を備え、前記外層は、第１の色の周辺光を反射する第１の着色材料または前記パネル内部を伝搬する第１の色の光を抽出する第１の着色材料を備え、前記内層は前記パネル内部を伝搬する第２の色の光を反射する第２の着色材料を備えており、前記第１の色は前記第２の色とは異なっていることを特徴とする照明器具。
【請求項１８】
少なくとも一つの光抽出体が、前記第２平面上に配置されている請求項１７に記載の照明器具。
【請求項１９】
前記第２平面上に配置された前記少なくとも一つの光抽出体は、前記第２平面を通って光を抽出するように構成されている請求項１８に記載の照明器具。
【請求項２０】
前記第２平面上に配置された前記少なくとも一つの光抽出体は、前記第１平面を通って光を抽出するように構成されている請求項１８に記載の照明器具。
【請求項２１】
少なくとも一つの光抽出体が、前記第１平面上に配置されている請求項１７に記載の照明器具。
【請求項２２】
前記第１平面上に配置された前記少なくとも一つの光抽出体は、前記第２平面を通って光を抽出するように構成されている請求項２１に記載の照明器具。
【請求項２３】
前記第１平面上に配置された前記少なくとも一つの光抽出体は、前記第１平面を通って光を抽出するように構成されている請求項２１に記載の照明器具。
【請求項２４】
少なくとも一つの光抽出体が前記第１平面上に配置され、少なくとも一つの光抽出体が前記第２平面上に配置されている請求項１７に記載の照明器具。
【請求項２５】
前記複数の光抽出体は、前記第１平面を通って光を抽出するように構成されている請求項２４に記載の照明器具。
【請求項２６】
前記複数の光抽出体は、前記第２平面を通って光を抽出するように構成されている請求項２４に記載の照明器具。
【請求項２７】
照明器具を製造する方法であって、
後平面及び前平面を供えている少なくとも部分的に透明なパネルに、光源を光学的に結合する段階であって、前記光源からの光が前記パネルの少なくとも一つの端部内に入力され、その中へ導かれるようにするところの段階と、
前記後平面上に複数の光抽出体を配置する段階であって、前記複数の光抽出体は、前記光源からの光を前記前平面を通って抽出するように構成されており、前記複数の光抽出体は、前記前平面を通って、前記光源により提供された光とは異なる色の光を抽出するように構成されているところの段階と、
を備え、
前記複数の光抽出体の少なくとも一つは、前記後平面に最も近く配置された内層と、前記内層上に少なくとも部分的に配置された外層を備え、前記外層は、第１の色の周辺光を反射する第１の着色材料または前記パネル内部を伝搬する第１の色の光を抽出する第１の着色材料を備え、前記内層は前記パネル内部を伝搬する第２の色の光を反射する第２の着色材料を備えており、前記第１の色は前記第２の色とは異なっている方法。
【請求項２８】
前記複数の光抽出体を配置する段階は、インクジェットプリンタを用いて前記パネル上に前記複数の光抽出体を印刷する段階を備えている請求項２７に記載の方法。
【請求項２９】
前記後平面上に前記複数の光抽出体を配置する段階は、スクリーン印刷を備えている請求項２７に記載の方法。
【請求項３０】
前記複数の光抽出体は、一つ以上の光抽出ドットを備えている請求項２７に記載の方法。
【請求項３１】
プライバシースクリーンであって、
光生成手段と、
導光手段であって、該導光手段の少なくとも一部上で前記光生成手段からの光を受けるように、前記光生成手段と相対的に配置され、前記受けた光が前記導光手段に入り、及びその中へ伝搬するように構成された導光手段と、
前記導光手段からの光を抽出する手段であって、前記導光手段上に配置され、前記導光手段上で入射する光を反射し、及び前記導光手段内部を伝搬する光を前記導光手段にわたって均一に抽出するように構成されており、前記導光手段から、前記光生成手段より提供された光とは異なる色の光を抽出するように構成されている光抽出手段と、
を備え、
前記光抽出手段は、前記導光手段に最も近く配置された内層と、前記内層上に少なくとも部分的に配置された外層とを備える少なくとも１つの光抽出ドットを含み、前記外層は、第１の色の周辺光を反射する第１の着色材料または前記導光手段内部を伝搬する第１の色の光を抽出する第１の着色材料を備え、前記内層は前記導光手段内部を伝搬する第２の色の光を反射する第２の着色材料を備えており、前記第１の色は前記第２の色とは異なっているプライバシースクリーン。
【請求項３２】
前記光生成手段は、光源を備えている請求項３１に記載のプライバシースクリーン。
【請求項３３】
前記導光手段は、後平面及び前平面を備えている少なくとも部分的に透明なパネルを備えている請求項３１に記載のプライバシースクリーン。
【請求項３４】
前記光抽出手段は、複数の光抽出ドットを備えている請求項３１に記載のプライバシースクリーン。
【請求項３５】
照明器具であって、
第１の構成と第２の構成との間で切り替わるように構成されており、前記第１の構成より前記第２の構成のほうがより多くの光を放出する光生成手段と、
導光手段であって、前記光生成手段から提供された光を前記導光手段の表面を通って受けるように構成され、その中へ前記光が伝搬している導光手段と、
光抽出手段であって、前記導光手段の少なくとも一つの表面上に配置されており、前記導光手段内部を伝搬する光を、前記導光手段の表面を通って抽出するように構成されており、前記導光手段を通して見られる像のコントラストが、前記光生成手段が前記第２の構成にあるときより、前記光生成手段が第１の構成にあるときのほうが大きくなるように、前記光生成手段が第１の構成にあるときより前記光生成手段が第２の構成にあるときのほうがより多くの光を抽出する光抽出手段と、
を備え、
前記光抽出手段は、前記導光手段に最も近く配置された内層と、前記内層上に少なくとも部分的に配置された外層を備え、前記外層は、第１の色の周辺光を反射する第１の着色材料または前記導光手段内部を伝搬する第１の色の光を抽出する第１の着色材料を備え、前記内層は前記導光手段内部を伝搬する第２の色の光を反射する第２の着色材料を備えており、前記第１の色は前記第２の色とは異なっている照明器具。
【請求項３６】
前記光生成手段は、光源を備えている請求項３５に記載の照明器具。
【請求項３７】
前記導光手段は、後平面及び前平面を備えた少なくとも部分的に透明なパネルを備えている請求項３５に記載の照明器具。
【請求項３８】
前記光抽出手段は、複数の光抽出ドットを備えている請求項３５に記載の照明器具。
【請求項３９】
パネルを通した可視性を減少することにより遮蔽をする方法であって、
物体を遮蔽するための場所または領域内で、第１平面及び第２平面を備えている少なくとも部分的に透明なパネルを配置する段階であって、前記パネルは該パネル上に配置された複数の光抽出ドットを備えており、該光抽出ドットは前記パネルの内部を伝搬している光が前記パネルの前記第１平面を通って抽出するように構成され、前記複数の光抽出ドットの少なくとも一つは、前記パネルに最も近く配置された内層と、前記内層上に少なくとも部分的に配置された外層を備え、前記外層は、第１の色の周辺光を反射する第１の着色材料または前記パネル内部を伝搬する第１の色の光を抽出する第１の着色材料を備え、前記内層は前記パネル内部を伝搬する第２の色の光を反射する第２の着色材料を備えており、前記第１の色は前記第２の色とは異なっているところの段階と、
第１の照明レベルで前記パネル内に光を提供する段階と、
第２の照明レベルで前記パネル内に光を提供する段階であって、前記パネルの前記第１平面を通して見られるとき、前記パネルを通して見られる像のコントラストを低下させている第１の照明レベルより、第２の照明レベルで前記パネルの前記第１表面を通ってより多くの光が抽出されるように、前記第２の照明レベルは前記第１の照明レベルより大きいところの段階と、
を備えている方法。
【請求項４０】
プライバシースクリーンであって、
光源と、
第１平面及び第２平面を備えているパネルであって、少なくとも部分的に透明であり、及び前記パネルの少なくとも一つの端部上で前記光源からの光を受けるように前記光源に対応して配置されており、さらに前記受光した光が前記パネルに入り、その中へ伝搬するように構成されているパネルと、
前記第１平面上に配置された複数の光抽出ドットであって、前記パネル内部を伝搬している光を、前記第１平面と前記第２平面の少なくとも一つを一様に横切って抽出するように構成されており、前記光源により提供された光とは異なる色の光を、前記第１平面と前記第２平面の少なくとも一つを通って抽出するように構成された複数の光抽出ドットと、
前記複数の光抽出ドットの一つの少なくとも一部と前記第１平面との間に配置される隔離層と、を備える、プライバシースクリーン。
【請求項４１】
前記複数の光抽出ドットは、前記パネル内を伝搬する光を前記第１平面と前記第２平面の両方を通って抽出するように構成されている請求項４０のプライバシースクリーン。
【請求項４２】
前記複数の光抽出ドットは、前記第２平面を通って抽出された光とは異なる色の光を、前記第１平面を通って抽出するように構成されている請求項４０に記載のプライバシースクリーン。
【請求項４３】
前記複数の光抽出ドットの少なくとも一つは、前記第１平面に最も近く配置された内層と、前記内層上に少なくとも部分的に配置された外層を備えている請求項４０に記載のプライバシースクリーン。
【請求項４４】
前記外層の一部は、前記第１平面上に配置されている請求項４３に記載のプライバシースクリーン。
【請求項４５】
前記外層は、第１の色の周辺光を反射する第１の着色材料を備えており、前記内層は前記パネル内部を伝搬する第２の色の光を反射する第２の着色材料を備えており、前記第１の色は前記第２の色とは異なっている請求項４３に記載のプライバシースクリーン。
【請求項４６】
前記第１の色は、白色である請求項４５に記載のプライバシースクリーン。
【請求項４７】
前記外層は、前記パネル内部を伝搬する第１の色の光を抽出する第１の着色材料を備えており、前記内層は、前記パネル内部を伝搬する第２の色の光を反射する第２の着色材料を備えており、前記第１の色は前記第２の色とは異なっている請求項４３に記載のプライバシースクリーン。
【請求項４８】
複数の非抽出体と、
前記複数の非抽出体と前記第１平面との間に配置された隔離層と、をさらに備えており、
前記複数の非抽出体と前記複数の光抽出ドットは均一なパターンで互いに配置されている請求項４０に記載のプライバシースクリーン。
【請求項４９】
前記複数の非抽出体は、一つ以上のドットを備えている請求項４８に記載のプライバシースクリーン。
【請求項５０】
前記第１平面上に配置された一つ以上の二次ドットをさらに備えており、それぞれの二次ドットは一つの前記光抽出ドットより少ない光を抽出するように構成されている請求項４０に記載のプライバシースクリーン。
【請求項５１】
前記複数の光抽出ドット及び前記一つ以上の二次ドットは、共にパターンを有して配置されている請求項５０に記載のプライバシースクリーン。
【請求項５２】
前記第２平面上に配置された複数の光抽出ドットをさらに備えている請求項４０に記載のプライバシースクリーン。
【請求項５３】
前記第２平面上に配置された前記複数の光抽出ドットは、第１の色の光を抽出するように構成されており、及び前記第１平面上に配置された前記複数の光抽出ドットは、第２の色の光を抽出するように構成されており、前記第１の色は前記第２の色とは異なっている請求項５２に記載のプライバシースクリーン。
【請求項５４】
前記複数の光抽出ドットは、前記第１平面にわたって均一なパターンで配置されている請求項４０に記載のプライバシースクリーン。
【請求項５５】
前記複数の光抽出ドットは、異なる大きさの光抽出ドットを備えている請求項４０に記載のプライバシースクリーン。
【請求項５６】
プライバシースクリーンであって、
光源と、
第１平面及び第２平面を備えているパネルであって、少なくとも部分的に透明であり、及び前記パネルの少なくとも一つの端部上で前記光源からの光を受けるように前記光源に対応して配置されており、さらに前記受光した光が前記パネルに入り、その中へ伝搬するように構成されているパネルと、
前記第１平面上に配置された複数の光抽出ドットであって、前記パネル内部を伝搬している光を、前記第１平面と前記第２平面の少なくとも一つを一様に横切って抽出するように構成されており、前記光源により提供された光とは異なる色の光を、前記第１平面と前記第２平面の少なくとも一つを通って抽出するように構成された複数の光抽出ドットと、
複数の非抽出体と、
前記複数の非抽出体と前記第１平面との間に配置された隔離層と、を備えており、前記複数の非抽出体と前記複数の光抽出ドットは均一なパターンで互いに配置されているプライバシースクリーン。
【請求項５７】
前記複数の光抽出ドットは、前記パネル内を伝搬する光を前記第１平面と前記第２平面の両方を通って抽出するように構成されている請求項５６のプライバシースクリーン。
【請求項５８】
前記複数の光抽出ドットは、前記第２平面を通って抽出された光とは異なる色の光を、前記第１平面を通って抽出するように構成されている請求項５６に記載のプライバシースクリーン。
【請求項５９】
前記複数の光抽出ドットの少なくとも一つは、前記第１平面に最も近く配置された内層と、前記内層上に少なくとも部分的に配置された外層を備えている請求項５６に記載のプライバシースクリーン。
【請求項６０】
前記外層の一部は、前記第１平面上に配置されている請求項５９に記載のプライバシースクリーン。
【請求項６１】
前記外層は、第１の色の周辺光を反射する第１の着色材料を備えており、前記内層は前記パネル内部を伝搬する第２の色の光を反射する第２の着色材料を備えており、前記第１の色は前記第２の色とは異なっている請求項５９に記載のプライバシースクリーン。
【請求項６２】
前記第１の色は、白色である請求項６１に記載のプライバシースクリーン。
【請求項６３】
前記外層は、前記パネル内部を伝搬する第１の色の光を抽出する第１の着色材料を備えており、前記内層は、前記パネル内部を伝搬する第２の色の光を反射する第２の着色材料を備えており、前記第１の色は前記第２の色とは異なっている請求項５９に記載のプライバシースクリーン。
【請求項６４】
前記複数の光抽出ドットの一つの少なくとも一部と前記第１平面との間に配置された隔離層をさらに備えている請求項５６に記載のプライバシースクリーン。
【請求項６５】
前記複数の非抽出体は、一つ以上のドットを備えている請求項６４に記載のプライバシースクリーン。
【請求項６６】
前記第１平面上に配置された一つ以上の二次ドットをさらに備えており、それぞれの二次ドットは一つの前記光抽出ドットより少ない光を抽出するように構成されている請求項５６に記載のプライバシースクリーン。
【請求項６７】
前記複数の光抽出ドット及び前記一つ以上の二次ドットは、共にパターンを有して配置されている請求項６６に記載のプライバシースクリーン。
【請求項６８】
前記第２平面上に配置された複数の光抽出ドットをさらに備えている請求項５６に記載のプライバシースクリーン。
【請求項６９】
前記第２平面上に配置された前記複数の光抽出ドットは、第１の色の光を抽出するように構成されており、及び前記第１平面上に配置された前記複数の光抽出ドットは、第２の色の光を抽出するように構成されており、前記第１の色は前記第２の色とは異なっている請求項６８に記載のプライバシースクリーン。
【請求項７０】
前記複数の光抽出ドットは、前記第１平面にわたって均一なパターンで配置されている請求項５６に記載のプライバシースクリーン。
【請求項７１】
前記複数の光抽出ドットは、異なる大きさの光抽出ドットを備えている請求項５６に記載のプライバシースクリーン。
【発明の詳細な説明】
【技術分野】
【０００１】
本出願は、参照によりその全体が明確にここに組み込まれた、２００９年１月１３日に出願された米国特許出願第６１／１４４，３５２号の優先権を主張する。
【０００２】
本発明は、照明、特に光パネルにおける光抽出とプライバシーディスプレイの分野に関連している。
【背景技術】
【０００３】
様々な建築照明の構成が、屋内及び／または屋外の様々な幅広い場所での人為的な照明を提供するために利用されている。そのような構成は、固定され、且つ携帯できる建築照明を含むことができる。様々な構成は、光源に基づく白熱灯、蛍光灯、及び／または発光ダイオードのような技術を採用することができる。
【０００４】
一つのタイプの建築照明の構成は、パネル照明として一般的に参照されることができる。パネル光は、プラスチックレンズのパネルの後のライトボックス内に、例えば蛍光照明を含んでいてもよい。パネル照明はしばしば、平面、正方形、または長方形で構成され、厚さ寸法より非常に大きな幅及び長さ寸法を有している。パネル照明の厚さが一般的に幅及び長さ寸法と比較して非常に小さいのと同時に、既存のパネル照明の厚さは、取り付けと利用における制限を強要する場合がしばしばある。ディスプレイの前面及び背面照明技術が、大きな面積（例えば４’×８’）の平面パネル照明に応用されることができる。
【０００５】
パネル照明の一つの具体的なタイプは平面パネル照明である。平面パネル照明は、透明パネルであって、その平面な表面からの照明を提供するように設計された透明パネルを含んでいる平面パネルディスプレイの応用において一般的に見出されている。光は、パネルの一つ以上の縁に沿って位置されうる光源（例えばＬＥＤまたはＣＣＦＬランプ）から前記パネルに提供される。光はパネルを通って移動し、その前面の平面表面及び背面の平面表面での全反射に起因して前記パネル内に留まる。パネル上のいくつかの場所で、抽出体により前記パネルの外に指向されうる。
【０００６】
平面光パネルは、照明器具または建築応用のためにサイジングされることができる。建築応用に対して、パネルは約４’×８’またはより小さな寸法のタイルで作られうる。いくつかの実施形態は、隣接して配置された二つ以上の平面光パネルを含んでいる。そのようにして、平面パネル光は大面積に応用されることができる。平面パネル光は、照明器具として、または部分的に透明な光パネル及びスクリーンとして利用されることができる。例えば、平面パネル光はプライバシースクリーンとして利用されてもよい。前記パネルは、ガラス、アクリル、ポリエチレンテレフタレート、ポリカーボネートなどのようなポリマーであることができる。４’×８’パネルは、二つの端部から照射されるとき、その幅に沿って光の適切な伝搬を許すように約０．２５’’またはそれより大きい厚さを必要としうる。
【０００７】
既存のパネル設計において、光抽出体はしばしば、パネルの表面内で切り取られたグルーブまたは他のフィーチャである。しかしながら、これらの機械加工またはエンボス加工されたフィーチャは、コストが高く、及び設計において柔軟性を許可させていない。
【発明の概要】
【発明が解決しようとする課題】
【０００８】
本発明のシステム、方法、及びデバイスは、いくらかの態様を有しており、それらの唯一つも単にその所望の特性に関与していない。本願発明の範囲を限定することなく、そのより顕著な特性が簡単に議論されるだろう。この議論の考慮の後で、及び特に「特定の実施形態の詳細な説明」を読んだ後で、本願発明の特性が他の光デバイスを超えた優位性を提供することが理解できる。
【０００９】
本発明の特定の実施形態は、光パネルプライバシースクリーン上に塗布または印刷された光抽出ドットを含んでいる。プライバシースクリーンパネルは、照らされるときに、前記スクリーンの後の物体の可視性を見えなくする光抽出ドットを含むことができる。製造の容易性のために、前記ドットは前記パネル上に印刷されることができる。いくつかの実施形態において、前記パネルは、該パネルの前方表面に入り、前記パネルを通って及び前記後方表面の外に移動される光、及び前記前方表面の外に抽出される光の光学的特性を分離するために構成されたドットで構成されている。言い換えると、前記パネルは、該パネルがその前方または後方のどちらかから見られるとき、異なる視覚効果を有するように構成されている。
【課題を解決するための手段】
【００１０】
一つの実施形態によると、本発明は照明器具を備えており、該照明器具は、光源と、前面及び後面を備えている少なくとも部分的に透明なパネルと、を備えており、前記パネルは、前記光源からの光が前記パネルの少なくとも一つの端部内に入力され、及びその中を伝搬するように前記光源と連結して配置されており、及び複数の光抽出体は前記パネルの後面に配置されており、前記複数の光抽出体は、前記パネルの後面上に入射する光を反射し、及び前記パネルの前面を通して前記パネル内を伝搬する前記光源からの光を抽出するように構成されている。一つの態様において、前記少なくとも一つの光抽出体は、前記パネルの後面近くに配置された内層と、該内層上に少なくとも部分的に配置された外層を備えている。他の態様において、前記外層の一部は前記パネルの後面上に配置されている。一つの実施例において、前記外層は第１色の光を反射する第１の着色材料を備えており、前記内層は第２色の光を反射する第２の着色材料を備えており、前記第１色は前記第２色とは異なっているか同一でありうる。一つの実施例において、前記第１色は白色である。別の実施例において、反射器が前記前面に隣接して配置されており、及び／または拡散器が前記後面に隣接して配置されている。一つの例において、前記パネルはガラス、ポリマー、ポリカーボネート、またはポリエチレンテレフタレートを備えうる。
【００１１】
別の実施形態において、照明器具は、光抽出体の少なくとも一つ、またはそれの少なくとも一部と、前記後面との間に配置された隔離層を備えており、前記隔離層は前記パネルの屈折率より小さな屈折率を有しうる。一つの例において、前記隔離層は、該隔離層が一つの光抽出体と前記パネルとの間に配置されないように、光抽出体の少なくとも一部と、前記パネルとの間に配置された各々のセクションを有した二つ以上のセクションを含みうる。別の例において、前記隔離層は、前記光抽出体と前記パネルとの間と同様に、非抽出体と前記パネルとの間に配置されうる。別の態様において、隔離層は、該隔離層が少なくとも一つの非抽出体の一部と前記後面との間に配置されないように、少なくとも一つの非抽出体の他の部分と前記後面との間に配置されうる。一つの例において、少なくとも一つの非抽出体はそれらの間に隔離層なしで前記パネルの後面上に配置されうる。
【００１２】
一つの実施形態において、前記光抽出体は、少なくとも一つの光抽出ドットを備えており、及び前記ドットは前記パネル後面上に印刷または塗布されることのできる材料を備えている。一つの例において、前記ドットは、前記パネルの屈折率と等しいかそれより小さい屈折率を有するインクまたはインクバインダーを有するインクを備えている。別の態様において、前記ドット材料は拡散粒子を備えうる。一つの例において、前記光抽出体は、結合材料と複数の拡散粒子を備えている。一つの態様において、前記拡散粒子の屈折率は前記結合材料の屈折率より大きい。
【００１３】
別の態様において、前記照明器具は前記パネルの後面上に配置された少なくとも一つの二次ドットを備えていてもよく、少なくとも一つの前記二次ドットは、前記複数の光抽出ドットより少ない光を抽出しうる。一つの例において、前記光抽出ドット及び二次ドットは均一な間隔を有したパターンで共に配置されうる。別の態様において、前記光抽出ドットは前記パネルの少なくとも一側面上に配置され、及び前記パネルからの少なくともいくらかの光を均一にまたは光均一に抽出するようにパターン化されている。別の例において、前記光抽出特性は、前記インクバインダーの屈折率または拡散粒子の数である。一つの態様において、前記照明器具は、前記パネルの前面上に一群の光抽出体を含んでいてもよく、及びそれらは均一なまたは非均一なパターンで配置されうる。前記パネルの前面に配置された前記光抽出体は、異なる大きさの非抽出体を備えていてもよい。一つの例において、前記前面上の少なくとも二つの非抽出体は異なる直径、厚さ、屈折率または異なる数の拡散粒子を備えていてもよい。別の実施形態において、前記照明器具は、前記パネルの前面上に一群の光抽出体、及び前記後面上に前記前面上の光抽出体とは異なる直径、厚さ、屈折率、または拡散粒子の数を有したドットを備えている少なくとも一つの光抽出体を有する一群の光抽出体を備えていてもよい。別の態様において、照明器具は前記パネルの一側上に一群の光抽出体を含んでいてもよい。前記光抽出体はドットを備えていてもよく、及び前記ドットの不透明さを変化させることにより、光は照明器具の一側だけ、または両側に向かって抽出されうる。
【００１４】
別の態様において、前記照明器具内の前記光源は、発光ダイオード、蛍光灯、ダイオードから放出された光が前記パネルの一つ以上の端部で注入されるように前記パネルに対応して配置された複数の発光ダイオード、または前記パネルの二つの対向する端部に沿って配置された複数の発光ダイオードを備えていてもよい。
【００１５】
別の実施形態によると、本発明は、前面及び後面を備えている少なくとも部分的に透明なパネルに光源を光学的に結合する段階であって、前記パネルは前記光源からの光が前記パネルの少なくとも一つの端部内に入力され、及びその中で導かれるように前記光源と連結して配置されているところの段階と、前記パネルの後面上に複数の光抽出体を印刷する段階であって、前記複数の光抽出体は、前記パネルの後面上に入射した光を反射させ、及び前記光源からの光を前記パネルの前面を通って抽出するように構成されているところの段階と、を備えている照明器具の製造方法である。別の態様において、前記複数の光抽出体は、インクジェットプリンタを用いるか、またはスクリーン印刷により前記パネル上に印刷される。
【００１６】
別の実施形態によると、本発明は、その間で光を伝搬させるための前面及び後面を備えている少なくとも部分的に透明なパネルと、前記パネルの後面上に配置された複数の光抽出ドットであって、各々の光抽出体は前記パネルの後面上に配置された内層及び前記内層上に少なくとも部分的に配置された外層を備えており、前記内及び外層は異なる光抽出特性を有しているところの光抽出ドットと、を備えている照明器具である。一つの態様において、前記内層は第１色の光を反射し、及び前記外層は異なる第２色の光を反射しうる。
【００１７】
別の実施形態において、本発明は、光源と、後面及び前面を備えており、該光源から提供された光を前記パネルの端部を通して受け、前記パネル内で前記光を伝搬するように構成されている少なくとも部分的に透明なパネルと、及び前面上に配置された複数の光抽出ドットであって、前記パネル内を伝搬する光を前記パネルの後面を通して抽出するように構成された複数の光抽出ドットと、を備えている照明器具である。一つの態様において、前記光抽出ドットは拡散粒子を備えている。一つの例において、前記光抽出ドットは、前記パネル内を伝搬する光を前記パネルの前面を通って抽出するように構成されている。一つの態様において、前記パネルの前面を通して抽出された光は、前記パネルの後面を通って抽出された光とは異なる色でありうる。別の例において、前記光抽出ドットは、前記パネルの後面を通して、前記光源により提供された光の色とは異なる着色光を抽出するように構成されている。
【００１８】
別の実施形態によると、本発明は、前面及び後面を備えているパネルであって、光源から提供された光を前記パネルの端部を通して受け、及び前記パネル内部を前記光が伝搬するように構成されており、前記後面に結合されたフィルムであって、該フィルムが前記パネルの後面と複数の光抽出ドットとの間に配置されるように、それらに関して配置された複数の光抽出ドットを有し、前記複数の光抽出ドットが前記パネルの前面を通して前記パネル内を伝搬する光を抽出するように構成されているところフィルムを備えている照明器具。一つの態様において、前記照明器具は、光源、及び／または前記フィルムと前記パネルの間に配置された接着剤を備えていてもよい。一つの態様において、前記接着剤は圧感性接着剤である。一つの例において、前記光抽出ドットは、拡散粒子を備えており、及び／または前記パネル内を伝搬している光を前記後面を通して抽出するように構成されている。別の例において、前記光抽出体は、前記光源により提供された光の色とは異なる着色光を前記パネルの前面から抽出するように構成されている。一つの実施形態において、前記光抽出体は、前記パネルの前面とは異なる色を前記パネルの後面から抽出しうる。
【００１９】
別の実施形態によると、本発明は、シート上に複数の光抽出ドットを印刷する段階と、前記シートが前記複数のドットと前記パネルとの間に配置されるように、前面及び後面を有する少なくとも部分的に透明なパネルの光に前記シートを結合する段階と、を備えている照明器具を製造する方法である。一つの態様において、前記結合の段階は、前記光抽出ドットが前記前面及び後面の間を伝搬する光を抽出するように操作できるように、前記パネルの屈折率に等しいかそれより低い屈折率を有する接着剤を用いて、前記シートを前記パネルに取り付ける段階を備えている。別の態様において、前記結合の段階は、熱及び／または圧力を用いて前記シートを前記パネルに取り付ける段階を備えている。一つの例において、前記シートは透明な熱可塑性アモルファスまたはポリエチレンテレフタレート共重合体（ＰＥＴＧ）を備えている。
【図面の簡単な説明】
【００２０】
【図１】図１は、物体（花）の前に位置しているプライバシースクリーンの前面図であり、前記プライバシースクリーンの光源は消えているかまたは下げられているかのどちらかであり、それにより前記物体の明確な表示を可能にしている。
【図２】図２は、図１のプライバシースクリーンの前面図であり、光源は前記プライバシースクリーン内に光を提供し、及び前記光の少なくとも一部は前記プライバシースクリーンの前面から放出され、前記プライバシースクリーンを通して見える物体の外観を変化させている。
【図３】図３は、機械加工された光抽出体を有する一つの実施形態を概略的に図示しているプライバシースクリーンの前面図である。
【図４】図４は、機械加工された光抽出体を有するプライバシースクリーンの一つの実施形態を概略的に図示しているプライバシースクリーンの側面図である。
【図５】図５は、印刷された光抽出体を有しているプライバシースクリーンの一つの実施形態を概略的に図示している前面図である。
【図６】図６は、印刷された光抽出体を有しているプライバシースクリーンの一つの実施形態を概略的に図示している側面図である。
【図７】図７は、前方及び／または後方表面上に均一なパターンで印刷された表面抽出体を有しているプライバシースクリーンを概略的に図示している前面図である。
【図８】図８は、図７で示されたものより小さい光抽出体が前方及び／または後方表面上に均一なパターンで印刷されている実施形態を図示しているプライバシーパネルの前面図である。
【図９】図９は、前方及び／または後方表面上に非均一なパターンで印刷された様々な大きさの非抽出体を備えている実施形態を概略的に図示しているプライバシーパネルの前面図である。
【図１０】図１０は、前記パネルの表面上に印刷されたドットの光抽出体を有するプライバシースクリーンの一つの実施形態を概略的に図示している側面図である。
【図１１】図１１は、前方及び後方表面の外で光を放出するために構成されたプライバシースクリーンの一つの実施形態を概略的に図示している側面図である。
【図１２】図１２は、ドットの光抽出体の一つの実施形態を概略的に図示しているプライバシースクリーンの近接側面図である。
【図１３】図１３は、図１２で示された実施形態のものより高い粒子密度を有しているドットの光抽出体の一つの実施形態を概略的に図示している近接側面図である。
【図１４】図１４は、前方及び後方表面上に印刷された様々な大きさのドットの光抽出体を有しているプライバシースクリーンの実施形態を概略的に図示している側面図である。
【図１５】図１５は、ドットの光抽出体の一部と透明なパネルとの間に配置された隔離層を有しているプライバシースクリーンの一つの実施形態を概略的に図示している側面図である。
【図１６】図１６は、透明なパネル上に印刷された光抽出ドットと前記透明なパネル上に配置された非光抽出ドットを有しているプライバシースクリーンの実施形態を概略的に図示している前面図である。
【図１７】図１７は、透明なパネル上に配置された多層の非抽出ドットを有しているプライバシースクリーンの実施形態を概略的に図示している側面図である。
【図１８】図１８は、透明なパネル上に印刷された着色ドットと白色ドットの光抽出体を有しているプライバシースクリーンの一つの実施形態を概略的に図示している前面図である。
【図１９】図１９は、透明なパネルの近くに配置された反射器を有しているプライバシースクリーンの実施形態を概略的に図示している側面図である。
【図２０】図２０は、透明なパネルの近くに配置された拡散器を有しているプライバシースクリーンの実施形態を概略的に図示している側面図である。
【図２１】図２１は、透明なパネルに接着されたフィルムを有するプライバシースクリーンの実施形態を概略的に図示している側面図であり、前記フィルムは、該フィルムの非接着側上に配置された光抽出体を有している。
【図２２】図２２は、照明器具を製造する方法の実施形態を概略的に図示しているブロック図である。
【図２３】図２３は、照明器具を製造する方法の実施形態を概略的に図示しているブロック図である。
【発明を実施するための形態】
【００２１】
以下の詳細な説明は、本発明の特定の具体的な実施形態に向けられている。しかしながら、本発明は多くの異なる方法で具体化されることができる。例えば、プライバシースクリーンの実施形態において含まれたフィーチャは照明器具の実施形態において同様に含まれてもよい。この説明において、同類の構成は全体を通して同類の番号で示されている図面を参照する。
【００２２】
プライバシースクリーンパネル（ここでは時々「パネル」と参照される）は、前記パネルの平面の一つまたは両方に切り取られた、またはエンボス加工された多数の光抽出体を含みうる。前記光抽出体は、前記パネルの一部として形成された例えば、溝、ピット、またはプリズム体を含みうる。しかしながら、そのようなフィーチャの製造は高価であり、及びそれらの利用は設計における柔軟性を制限しうる。代わりに、「ドット」の光抽出体は、所望の方法で光を抽出するためにパネルの平面表面の一つまたは両方に位置されうる（例えば印刷されうる）。ここで利用されるような光抽出ドットは、特定の光学的特性を有するように構成されており、及び前記プライバシースクリーンの表面に位置されている材料の塊を参照している広い意味である。様々な応用において、ドットは所望の光学的特性を示すように、様々な大きさ（例えば、長さ、幅、及び高さ）、形状、色、及び組成で構成されうる。いくつかの例におけるドットの断面形状は、円形、長円形、一般的な曲線形状、正方形、長方形、三角形、一般的な多角形、及び不規則な形状を含んでいる。多数のドットを含む構成において、前記ドットは、所望の光学的効果を産み出すために均一なパターンまたは別のパターンで配置されてもよく、各ドットはそれぞれおおよそ同一のサイズであってもよく、またはサイズは変化することもできる。
【００２３】
例えば、プライバシースクリーンパネルは、パネルの一つ以上の端部に光を提供する光源により照らされるとき、前記スクリーンの後で目に見える物体を覆い隠す光抽出ドットを含むことができる。製造の容易性のために、前記ドットは、前記パネルの任意の表面上に印刷されうる。いくつかの実施形態において、光抽出ドットは、プライバシースクリーンを形成する透明パネルに結合されるかまたはラミネートされる分離シート上に印刷される。いくつかの実施形態において、前記パネルは、前記パネルがその前面または後方表面から見られるとき、異なる視角的（または光学的）効果を有するように構成されることができる。そのような実施形態は、プライバシースクリーンに対して特に役立つ。他の実施形態において、前記パネルは前記パネルの前面及び後面側の両方から外へ光を抽出するように設計されることができ、及び前記パネルは両方の方向でプライバシースクリーンとして作用することができる。
【００２４】
光抽出体（例えば印刷されたドット）及び光源を有して構成されたプライバシースクリーンパネルは、前記光源が減光されるか、または消されるとき、前記プライバシースクリーンを通して物体が見えるように作用する光の「シャッター」として作用することができる（例えば、「開いた」シャッター構成）。前記光源がオンのとき、全反射によって前記プライバシースクリーンパネルの表面の間で光が伝搬する光を前記プライバシースクリーンパネルに提供する。前記光源がオンのとき、様々な実施形態の抽出ドットは観測者に向かって前記パネルの外に光を抽出するように利用されることができる。抽出された光の増大したレベルは、前記パネルの後に位置した、例えば、観測者から前記パネルの反対側にある物体の視界を覆い隠し、このようにして「閉じた」シャッター構成を形成する。所望の、または特定のトリガーイベントの際に、前記光源を作用させることにより、前記プライバシースクリーン「シャッター」は開かれるか閉ざされることができる。例えば、光シャッターのようなプライバシースクリーンを備えているドアは、該ドアが閉ざされているとき（または前記ドアがロックされるとき、またはスイッチに応えるとき）、前記光を「閉ざす」シャッターを作動させるように構成されることができ、このようにして必要なときにプライバシーを提供する。いくつかの実施形態において、前記プライバシースクリーンは、前記シャッターが閉ざされているとき、観測者が前記パネルを通して物体の代わりに色付きパネルを観るように、特定の色を示すように構成される。光のシャッターとして構成されたプライバシースクリーンは、機械的なブライドまたはシャッターを取り除いた芸術的に美しい外観を有するプライバシーを提供するように、（例えば商用オフィスにおいて）窓の代わりに実装されることができる。そのような光のシャッターは、前記光源を完全にまたは部分的に作動させることが、プライバシーの所望のレベルを提供するように前記プライバシースクリーンを覆い隠している、以下で説明される任意の実施形態、またはこれらの実施形態の組み合わせを用いることができる。
【００２５】
図１は、プライバシースクリーン１００の一つの実施形態の概略前面図を示している。前記プライバシースクリーン１００は、パネル１０１、及び（図１に図示され前記パネル１０１に関連する）前記パネル１０１の左及び右端部に沿って配置された一つ以上の光源１０３を含んでいる。前記パネル１０１は、第１（または前面）平面側、第２（または後面）平面側、頂端部、底端部、左側端部、及び右側端部を備えている。前記「前面」側及び「後面」側は同様に、それぞれ「前平面」及び「後平面」としてここで参照されている。前記光源１０３は、前記パネル１０１の全四つの端部を含む一つ以上の端部に位置されうる。前平面側は後平面側に対向している。説明の明確性のため、前平面側は、別に記載されない限り、ページの外側の点として参照され、同様に後平面側より観測者により近いとして説明される前面側及び後面側に関連して、実施形態は一般的に説明される。しかしながら、当業者であれば、前記パネルは、利用の間に前面が後面に反転されたものを含んで、如何なる方向に配置されることができ、それ故、前平面に関連してここで説明されたすべての実施形態及び実施例は、反対に前記後平面に実装されることができることが理解できるだろう。
【００２６】
いくつかの実施形態において、前記前平面側及び後平面側はおおよそ同一の表面積を有しうる。しかしながら、例えば端部が傾いている（例えば、前面及び背面に対して垂直でない）実施形態において、それらを異なる大きさとすることも可能である。前記前平面側及び後平面側は、プライバシースクリーン１００が物体の前に配置されるとき、特定の物体１０５の少なくとも一部をマスクするように寸法されうる。例えば、前記前平面側及び後平面側は４’×８’でありうる。光源１０３が減光されるか消されるとき、前記パネルの透明度は、周辺光に影響を与える前記透明パネル上に存在する光抽出体の光学的特徴によって作用され、それ故、前記パネル１０１は部分的に透明に見えうる。図２に示されるように、前記光源１０３が点灯されるとき、前記パネル１０１は、まぶしく輝いているか不透明に見える。このように、プライバシースクリーン１００は、物体１０５または観測者から前記プライバシースクリーンの後の領域を隠蔽するために利用されうる。照らされたとき、前記パネル１０１は、前記スクリーン１００の見かけの透明度に寄与することができる。前記パネル１０１が光源１０３によって明るく照らされるとき、前記スクリーン１００の後の物体は、前記パネル１０１を通して観測したスクリーンのコントラストは減少されるように観測者から消える。観測者に向かって前記パネルから抽出された光は、光源１０３の出力を変化させることにより変更されることができる。いくつかの実施形態において、前記パネル１０１を通して観測者に向かって抽出された光の輝度は、パネル１０１を通して観測される物体１０５から放出される光の輝度、または物体１０５から反射された光の輝度のおおよそ１００倍も大きく、及び観測者が人間の視角の限界に起因して物体を区別することがもはやできなくなるように、前記物体は完全に覆い隠される。他の実施形態において、観測者に向かって抽出された光の輝度は、前記パネル１０１を通して観測される物体１０５から放出されたまたは反射された光の輝度よりおおよそ５０倍も大きく、前記物体は部分的に隠されているだけである。このように、パネル１０１は、一以上の観測者に物体１０５を完全にまたは部分的に覆い各されるように利用されうる。いくつかの実施形態において、静止した物体よりも動いている物体をより容易に検出する人間の視角の能力に起因して、輝度の割合はより高くされる必要があってもよい。
【００２７】
観測者へ物体１０５を完全にまたは部分的に覆い隠すことに要される光の量は、前記物体が前記パネル１０１を通して観測されるとき、前記物体１０５と前記パネル１０１との間の輝度の相対的な差に依存している。前記物体１０５の輝度は、該物体１０５上への周辺の及び人工の入射光に依存しており、前記パネル１０１を通していくらか失う。前記パネル１０１の輝度は、前記パネルから抽出された光により影響が与えられる。一つの実施例において、標準的な家のファミリールームにおける物体は、１平方メートルあたり約１５カンデラ（ｃｄ／ｍ２）の見かけの輝度を有しており、前記パネルの後の物体を完全に覆い隠すために、おおよそ１，５００ｃｄ／ｍ２またはそれ以上の輝度をパネル１０１に要求している。別の実施形態において、オフィス内の物体１０５は約５０ｃｄ／ｍ２の見かけの輝度を有しており、及び前記パネルの後の物体を完全に覆い隠すために、おおよそ５，０００またはそれ以上のｃｄ／ｍ２のパネル１０１の輝度が要求される。
【００２８】
光転向／抽出体（図示せず）の形状、寸法、及び分布は、前記プライバシースクリーン１００の照らされた、または照らされていない目に見える外観に影響を与える。前記パネル１００上のこれらのフィーチャの設計及び構成は、前記スクリーン１００の照らされた及び照らされていない両方の状態を最適化するように作られることができる。印刷されたドットは効果的な光抽出媒体を作り、及び平面パネル照明器具またはプライバシースクリーン１００の設計において固有の利点を提供する。そのようなドットは、インクまたはペイントの形態で、一つ以上の拡散材料、例えば、ＴｉＯ２を含むことができる。
【００２９】
図３に移ると、プライバシースクリーン１００の実施形態の概略前面図が示されている。この実施例において、前記プライバシースクリーン１００は転向ファセット１０６を含んでいる。これらの転向ファセットは、前記パネル１０１内で伝搬している、前記光源１０３により前記パネル１０１内に入力された光を抽出するように構成されている。前記転向ファセット１０６は、パネル１０１にエンボス加工または機械加工されうる。前記光源１０３は、発光ダイオードまたは線状光源を含む任意の他の適切な光源を備えうる。図４において前記プライバシースクリーン１００の頂部側面図に示されるように、光は、前記パネル１０１を通して前記光源１０３から伝搬されうる。前記パネル１０１を通した光の伝搬は、光転向ファセット１０６に出会うまで、全反射（「ＴＩＲ」）により前記パネル１０１内に捕らえられることができる。光が光転向ファセット１０６に出会うとき、前記光のいくつかは前記透明パネルから抽出され、及び前記プライバシースクリーン１００を観測者に明るく見せるように前方または後方平面側に向かって転向されうる。しかしながら、前記パネル１０１内に機械加工またはエンボス加工された転向ファセット１０６または光抽出体は、前記プライバシースクリーン１００の柔軟性を制限し、及び前記パネル１０１上に印刷された光抽出体よりも製造するのに多くのコストがかかる。いくつかの実施形態において、（例えば、以下に説明される）光抽出ドットは、前記パネルの光抽出能力を強化するために、（図３及び４に示される）前記パネル１０１の一つ以上の表面上に配置される。
【００３０】
図５において示された実施形態において、他の光抽出方法では不可能な特性の範囲を可能にし得る柔軟な光抽出体のような、印刷された光抽出「ドット」１０７が、プライバシースクリーンまたは照明器具上に利用されることができる。前記ドット１０７は、前記パネル１０１の表面に追加された材料の塊となりうる。前記ドット１０７は大きさ及び形状が変化しうる。適切な断面形状の実施例は、円形、一般的な曲線形状、正方形、長方形、三角形、一般的な多角形、及び不規則な形状を含んでいる。前記ドット１０７は、それぞれ同一な大きさであってもよく、または前記ドットは、一つのドット１０７から別に大きさが変化することができる。
【００３１】
図５及び６において示されるように、ドット１０７は、前記光源１０３により前記パネル１０１内に入力された光を抽出するために、前記パネル１０１の前方、後方、または前方及び後方の両方の表面上に印刷されうる。印刷されたドット１０７は、光源１０３により照らされない周辺光における場合、前記パネルの透明度及び拡散を調整するために利用されることができる。追加的に、ドット１０７は、前記パネル１０１の前方、後方または両方の側上での出力された光と共に、均一なまたは非均一な光抽出を生成するために利用されることができる。前記パネル１０１が前記光源１０３により照らされるとき、前記ドット１０７は、プライバシースクリーンとして作用するように前記パネルを通して観られるいかなる像のコントラストを効果的に減らしながら、観測者に向かって光を向けるように利用されることができる。材料の選択、印刷、及びパターン化を通して、前記パネル１０１の照らされた及び照らされない特性は大きく独立的に制御されることができる。例えば、大きなドット１０７は、前記光源１０３が減光されるか照らされないとき、前記パネル１０１を通して透過率を制限するために利用されうる。同様に、高濃度の小さなドット１０７は、前記光源１０３が減光されるかまたは照らされないとき、前記パネルを通して透過率を制限するために利用されることができる。前記大きなまたは小さなドットは、例えば、拡散粒子または不透明な材料を備えていてもよく、前記パネルを通して光の伝搬を制限するためにより厚く、または高い密度で構成されうる。いくつかの実施形態において、より小さいドット１０７の低い濃度は、前記光源１０３が減光されるかまたは照らされないとき、前記パネル１０１を通した透過を許可するように構成されうる。
【００３２】
さらに図５及び６を参照すると、機械加工／エンボス加工されたフィーチャの代替として利用された印刷されたドット１０７は低コスト、柔軟な設計（例えば、制御可能な効率及び均一性）、及びパネル１０１材料の柔軟性（例えば、ドットはガラス及びプラスチックを含む奥の基板上に利用されることができる）を提供する。追加的に、前記ドット１０７は、拡散特性を有することができ、このようにして、頂部拡散器の必要性を軽減させることができる。前記ドット１０７は製造するのにシンプルとなることができ、製造するのに低資本支出を要してもよく、及び高く構造化可能である。例えば、前記ドット１０７は、インクジェットプリンタ、スクリーン印刷技術または任意の他のインクプリンターにより前記パネル１０１上に印刷されうる。前記ドットは、前記パネル１０１上にロールされるか、スパッタされるか、またはスプレーされうる。ここで説明された実施形態のいずれの場合にも、前記ドットは、別に具体的に示されない限り、これらの工程のいずれかにより形成されることができる。前記ドット１０７は、二重の面の光抽出照明器具またはプライバシースクリーンを生成するために前記パネル１０１の両方の側に印刷されうる。一つの実施形態において、パネル１０１は、４フィート幅のパネルに対して１インチの約４分の１に等しいかそれより大きい厚さを有しうる。
【００３３】
図７に移ると、プライバシースクリーン１００の一つの実施形態の概略前面図が示されている。前記プライバシースクリーン１００は、少なくとも一つの光源１０３とパネル１００を含んでいる。光抽出ドット１０７は、前記少なくとも一つの光源１０３により前記パネル１０１内に入力された光を抽出するように前記パネル１０１の少なくとも一つの側上に分布される。図７に示されるように、前記ドット１０７は、前記光源が減光されるか、または照らされないとき、前記プライバシースクリーン１００の後に配置された物体が、前記ドットにより部分的に覆い各されるように充分大きくてもよく、及びパターン化されてもよい。前記ドット１０７の一つ以上の特性は、前記パネルを通して反射された及び／または透過された光に影響を与えることができる。例えば、図７に図示された前記ドットは、様々な実施形態において、図８から１８の参照で説明されるような、所定の直径、厚さ、パターン、結合材料、拡散粒子、色反射粒子、及び複数の層を含む組成、を有するように構成されることができる。同様に、前記パネル１００の全視角的光学効果は、例えば図１９及び２０において説明されるような、（観測者に応じて）前記パネル１０１の後または前のどちらかに配置された一つ以上の（例えば、光を拡散、反射または反射する）光学要素によって影響が与えられることができる。
【００３４】
ドット１０７を備えているプライバシースクリーンの別の実施形態は、図８で示されている。図８におけるドット１０７は、図７で図示されたものより直径が小さく、及び前記ドットの中心は「より微細な」ドットパターンで互いに近づいて位置されている。前記ドット１０７及びパターンは、照らされるとき、図７におけるより大きなドットと同じ量の光を抽出するために設計されているが、図８におけるドットは、ある距離ではより目に見えない。図７で図示された粗いドットパターンより多数のドット１０７を備えている微細ドットパターン及びより小さなドット１０７は、均一な照明を生成するための拡散器の必要性を除去しうる。
【００３５】
図９は、パネル１０１と、前記プライバシースクリーン１００の左右の側に沿って配置された光源１０３と、を含むプライバシースクリーン１００の別の実施形態を図示している。前記実施形態において、ここで説明される他の実施形態と同様に、前記光源１０３は代わりに、前記スクリーン１００の一つの側、または三つまたは四つの側に沿って配置されうる。この実施形態における前記ドット１０７は、前記光源１０３に対する距離に対応して隣接するドットの間のスペースが変化するパターンで、前記パネル１０１上に配置される。この例において、隣接するドットの間の距離は、前記光源１０３からの距離が増大するにつれて減少している。同様に、前記ドット１０７のサイズとピッチ（例えば、ドットの間の距離）は、前記光源１０３からの距離が増大するにつれて変化している（この例においては増大している）。そのようなパターンは、前記パネルの中心部分が前記光源１０３からさらに遠い場合であっても、前記パネル１０１から均一な量の光を抽出するために利用されることができる。前記ドット１０７の構成（例えば、拡散粒子の数や種類、結合材料の種類）を変化させること、及び／またはこれらの構成は同様に、前記ディスプレイパネル１０７の中心に配置されたドット１０７からより多くの光を抽出する助けとなりうる。他の実施形態において、前記プライバシースクリーン１００が前記光源１０３により及び／または周辺光の状況の下で照らされるとき、前記ドット１０７が、前記パネル１０１の反射及び透過特性に影響を与えるように、大きさ、形状、空間、及び組成を変化させてもよい。印刷されたドットは、溝、ピット、及びプリズム体のような代替手段と比較して、設計及び製造においてより柔軟性を提供する。
【００３６】
図１０に移って、プライバシースクリーン１００の側面図が示されている。前記プライバシースクリーン１００は、光源１０３、パネル１０１、及びドット１０７を含んでいる。前記光源１０３により放出された光は、全反射がドット１０７に出くわす光により妨げられるまで、全反射により前記パネル１０１内に捕らえられている。前記ドット１０７は、光のいくらかが前記ドット１０７に入り及び散乱され、光のいくらかが抽出されるように前記透明パネルの屈折率より大きいか等しい屈折率を有している。前記ドット１０７により散乱された光のいくらかは、前記パネル１０１内へ散乱、及び／または反射される。前記パネル１０１内へ反射または散乱された光は、それが全反射により前記パネル１０１内で伝搬することを可能にする低い角度で前記パネル１０１に入る場合、前記パネル１０１に沿って移動を続ける。加えて、前記ドット１０７が部分的に透明である場合、いくらかの光は、前記パネル１０１から両面照明を可能にするように、前記ドット１０７の他の側を通して現れてもよい。前記ドット１０７から前記パネル１０１内へ散乱されて、より高い角度で前記パネル１０１に入る光は、全反射を破壊した後で、前記パネル１０１から現れる。従って、図１１に図示したように、プライバシースクリーン１００は、ドットが前記パネル１０１の一つまたは両方の側上に印刷されるとき、（前平面側及び後平面側上の）両面光抽出のために構成されうる。いくつかの実施形態において、前方または後方から観測されたときに前記パネルの外観が異なるように、前方及び後方側に配置されたドットの光学的特性は異なっている。
【００３７】
図１２に移って、プライバシースクリーン１００の近接側面概略図が一つの実施形態に従って示されている。前記プライバシースクリーン１００はパネル１０１、及び複数のドットを含んでおり、図１２は、例として単一の印刷されたドット１０７を図示している。前記ドット１０７は、結合材料１０９と複数の拡散粒子１１１を含んでいる。前記拡散粒子１１１は、光を屈折、反射、及び散乱させることができる。それらの構成に依存して、そのようなドットは透明であるが拡散を示すことができ、または少なくとも部分的に不透明であってもよい。前記ドット１０７は、前記結合材料１０９の屈折率が前記パネル１０１の屈折率に等しいかそれより大きいとき、前記パネル１０１内から光を抽出しうる。前記拡散粒子１１１は、前記拡散粒子の屈折率が前記結合材料１０９の屈折率より大きいとき、前記結合材料内から光を抽出しうる。一つの例において、前記拡散粒子１１１は、高い屈折率（例えば＞２）を有する材料を備えている。例えば、前記拡散粒子は酸化チタン（ＴｉＯ２）または酸化亜鉛（ＺｎＯ）を備えうる。前記結合材料１０９の屈折率を変化させることにより、前記光抽出体の大きさ及び形状に独立している、光抽出にわたった制御の度合いを提供する。例えば、（前記パネル上で相対的に大きな被覆領域を占めている）大きなドットは、（前記パネル上で相対的に小さな被覆領域を有する）小さなドットよりもより多くの光を抽出する。前記パネル１０１からの光抽出は、より高密度またはより希薄な構成で配置することにより同様に制御されうる。
【００３８】
図１３は、複数の光転向ドットを有することのできるパネル１０１の実施形態の別の近接図を図示している。ドット１０７は、図１２で示されたドットより高い拡散粒子１１１密度を有している。より高い拡散粒子１１１密度は、前記パネル内により多くの光を拡散させ、より少ない光が前記ドット１０７を通して拡散することを可能にしている。屈折率を含む拡散粒子１１１の特性の変化は、拡散器特性を変化させる。例えば、高い屈折率を有する拡散粒子１１１はより多くの光散乱に寄与する。前記結合材料１０９の屈折率の変更に加えて、ドットの光抽出特性は、ドットの大きさ及び密度により同様に制御されうる。例えば、大きなドットはより小さなドットより多くの光を抽出する。図１４に示されたように、印刷工程は、印刷される側１３１とパネル側１３３の光抽出を制御するように利用されることができる。より大きなドットの自然の凹凸、より大きなインク体積、または層状印刷工程は、ドット厚さを制御するために利用されることができ、及びそれ故、前記ドット１０７を通して散乱される光を制御することができる。より厚いドットは前記印刷された側１３１上でより少ない光を抽出し、及び前記パネル側１３３上でより多くの光を抽出する。前記パネル１０１の各側上での光抽出は両側上でのドットの印刷を通して制御される。いくつかの実施形態において、拡散粒子の二つ以上の異なる構成を有するドットは、前記パネル１０１の同一の側面上にまたは両方の側面上に印刷されることができる。
【００３９】
図１５に移って、プライバシースクリーン１００の側面図が示されている。前記プライバシースクリーン１００は、パネル１０１と、光源１０３と、を含んでいる。隔離層１１３が前記パネル１０１上に配置されている。前記隔離層１１３は、ドット１０７の一部または全てと、前記パネル１０１との間に配置されうる。示されたように、ドット１０７ｂは隔離層１１３上に配置されており、ドット１０７ｃの一部は隔離層１１３上に配置されており、及びドット１０７ｃの別の部分はパネル１０１上に配置されている。前記隔離層１１３は、前記ドット１０７による全反射の妨げを避けるために、前記パネル１０１の屈折率より小さい屈折率を有しうる。例えば、ドットが前記パネル１０１上に直接印刷されるとき、前記光源１０３からの内部光及び前記パネル１０１上に作用する外部光の両方が前記ドット１０７と相互作用する。しかしながら、示されたように、全反射は低い屈折率の隔離層１１３により妨げられないので、ドット１０７ｂは前記パネル１０１内部で移動する光と相互作用しない。加えて、前記パネルのドットが印刷された側からドット１０７ｂ上で作用する、または前記パネル１０１の反対側を経た外部光は前記ドットと前記パネルとの間の界面で全反射を破壊する。
【００４０】
前記隔離層１１３は、前記光抽出ドット１０７ｂ、ｃから前記パネル１０１内の内部光を完全にまたは部分的に保護するように利用されうる。印刷されたドット１０７は、隔離層１１３と共に用いられるとき、照らされた及び照らされない光パネルの美的感覚の独立した制御を可能にする固有の方法を提供する。非光抽出ドット１０７ｃは、観測者からは光抽出ドットと同一に見えるが、光抽出をしないか、または光抽出ドットより少ない量の光を抽出する設計に含まれることができる。いくつかまたは全ての前記ドットの下の低い屈折率を有する隔離層１１３は、これらの位置での光抽出を避ける。ドットは、前記スクリーン１００の観測者に均一に見えるように設計される可変のドット領域の光抽出パターンを可能にするように、前記隔離層１１３により完全にまたは部分的に保護されうる。前記隔離層１１３は、前記パネル１０１上に印刷または結合されうる。前記隔離層は前記パネル１０１に結合される場合、前記隔離層は低い粘度を有していてもよく、またはより低い粘度が分離した隔離層構造を結合するために利用されうる。他の実施形態において、光抽出は、より少ない光を抽出する低屈折率の結合材を用いること、より低い屈折率の拡散材料を用いること、前記ドットの厚さを変化させること、及び／または前記拡散材料の密度を変化させることにより、一つ以上のドットにおいて制御されることができる。
【００４１】
図１６はプライバシースクリーン１００の実施形態を図示している。前記プライバシースクリーンは光抽出ドット１０７ａと非光抽出ドット１０７ｂを含んでいる。示されたように、前記非抽出ドットパターンは、均一な照明を生成するために前記光源１０３が搭載された端部から離れてより多くの光を抽出するために非均一になっている。しかしながら、前記パネル１０１が照らされていないときに目に見える均一なドットパターンを生成するために、追加の非光抽出ドット１０７ｂが加えられることもできる。
【００４２】
図１７はプライバシースクリーン１００の実施形態を図示している。前記プライバシースクリーンは非抽出ドット１０７を含んでいる。前記非抽出ドット１０７は、外層１２３と内層１２１を含んでいる。前記内層１２１及び／または外層１２３は、白色光で照らされるとき、色を追加するために着色されてもよい。前記外層１２３が白であり、前記内層１２１が着色されるとき、前記ドット１０７と同じ側から前記プライバシースクリーン１００を見る観測者には白に見え、別の側から前記プライバシースクリーン１００を見る観測者には着色されたように見える。図１８に示されたように、ドットは観測者に異なる色を見せるようにパターン化されてもよい。例えば、ドット１０７ｄは観測者に白に見え、ドット１０７ｅは緑に見えてもよい。
【００４３】
別の実施例において、内層１２１と外層１２３を有するドット１０７は前記パネルの各側上で異なる色を抽出しうる。例えば、白の内層１２１と緑の外層１２３を有する部分的に透明なドット１０７は、前記ドット側で緑、前記パネル内及び他の側の外で少ない緑と白色を抽出する。内層１２１が別の色の光を抽出すると同時に、外層１２３はプライバシースクリーン１００の外側からの入射光を反射しうる。そのような実施形態において、前記パネルのドット側上で抽出される光の量は、前記外層が前記パネル表面にどれほど接触しているか、及び／または前記内層の厚さまたは不透明度がどれほど増加しているか（これらの特徴が増大するにつれ、より多くの光が前記パネル内部で反対の側に向かって前記ドットから反射される）に依存することができる。結果として、プライバシースクリーン１００は、反対側で白色光を反射及び／または抽出すると同時に、一つの側から通してみる観測者に着色されて見えることができる。
【００４４】
他の実施形態において、白のドットは、着色光で照らされることができる。別の実施形態において（図示せず）、プライバシースクリーン１００は、前記プライバシースクリーン１００の両側で内層１２１と外層１２３を有する光抽出ドット１０７を含みうる。例えば、白の内層１２１を有するドット１０７は後方に向かって白色光を抽出することができ、及び前記後方上で緑の内層１２１を有するドット１０７は、前方に向かって緑色光を抽出することができる。
【００４５】
図１９及び２０は、プライバシースクリーン１００の側面図を図示している。上で説明されたように構成されたプライバシースクリーン（または照明器具）は、具体的な応用において光出力の鏡面性または方向をさらに制御するために拡散器または反射器と結合されうる。図１９は、前記パネル１０１から光を反射するために構成された反射器１２５を備えているプライバシースクリーン１００の実施形態を図示している。前記反射器１２５は、前記パネル１０１を通して後平面から、及び前平面の外側に放出された光を反射するために前記パネル１０１の後平面の近くに配置されうる。いくつかの実施形態において、前記反射器１２５は、前記パネル１０１を通して前記後平面から放出された光の実質的に全てを反射するために、前記後平面と同一の大きさに形成された表面積を有しうる。別の実施形態において、前記反射器１２５は、前記パネル１０１を通して前記後平面から放出された光の一部だけを反射するように構成されてもよい。
【００４６】
図２０は、前記パネル１０１から抽出された光を拡散するように構成された拡散器１２７を備えているプライバシースクリーン１００の実施形態を図示している。前記拡散器１２７は、一つ以上の表面から放出された光を拡散するために、前記パネルの前記一つ以上の表面の近くに配置されうる。例えば、一つの実施形態において、前記拡散器１２７は、前記後平面から放出された光を拡散するために、前記パネルの後平面にわたって配置されうる。いくつかの実施形態において、前記拡散器１２７は、前記平面から放出された光の実質的に全てを拡散するために、前記パネル１０１の平面と同一の大きさに形成された表面積を有しうる。他の実施形態において、前記拡散器１２７は、前記パネル１０１の平面から放出された光の一部だけを拡散するように構成されてもよい。
【００４７】
図２１は、導光パネル１０１に光を提供するために、導光パネル１０１の一つ以上の側面上（ここでは一つの側を示している）に配置された光源１０３を備えているプライバシースクリーン２１００の実施形態の側面図である。前記光抽出ドット（体）１０７は、フィルム（またはシート）２１０２上に形成（例えば印刷）されることができる。前記フィルム２１０２は前記導光パネル１０１の前平面２１０６または後平面２１０８に取り付けられることができる。いくつかの実施形態において、その表面に形成されたドット１０７を有する第１のフィルム２１０２（「ドットが印刷されたフィルム」）は前平面２１０６に取り付けられ、及びその表面に形成されたドットを有する第２のフィルムは前記パネル１０１の後平面２１０８に取り付けられる（図示せず）。図２１において図示された前記ドット１０７は、大きさ、組成、並びに反射性、透過性、及び屈折性の光学的特性を含む、ここで説明された光抽出ドットの特徴のいずれかを有することができる。いくつかの実施形態において、フィルム２１０２に印刷されたドットは、限定されないが、熱溶融工程またはシートまたは接着剤２１０４（例えば、低屈折率接着剤）を含む様々な適切な方法で、前記パネル１０１に取り付けられることができる。いくつかの実施形態において、接着フィルム２１０４は前記パネル１０１と前記ドットが印刷されたフィルム２１０２との間に配置される。
【００４８】
いくつかの実施形態を製造するために、前記ドット１０７は、前記フィルム２１０２上に最初に印刷されることができる。その後で、前記フィルム２１０２は接着剤２１０４を用いて導光パネル１０１に結合される。いくつかの実施形態において、結合剤は、前記導光パネル１０１の屈折率に等しいかそれより低い屈折率を有する圧感性接着剤（ＰＳＡ）を用いることができる。前記ドットが印刷されたフィルム２１０２は同様に、前記接着剤２１０４に等しいかそれより低い屈折率を有する。他の実施形態において、前記フィルム２１０２は、熱及び／または圧力の下で共に溶融する材料、例えば純非晶質で熱可塑性であるＰＥＴＧ（ポリエチレンテレフタレート共重合体）のようなコポリエステルを用いて前記パネル１０１に直接結合されることができる。ドット印刷フィルム２１０２は、製造コストを減少させることができ、及び同様に供給者の間の製品製造を分離することのできる低コストのリソプロセスを用いるようにして、前記光パネル１０１から分離して印刷されることができる。いくつかの実施形態において、例えば、図１５及び１７における隔離層及び複数層に関連した応用について説明された層化技術の利用を可能にして、印刷ドットを備えている二つ以上のフィルムが相になって前記光パネルに結合されることができる。
【００４９】
図２２は、一つの実施形態に従う照明器具を製造する方法２２００を描写しているブロック図である。方法２２００は、前平面及び後平面を供えている少なくとも部分的に透明なパネルに光源を光学的に結合する段階であって、前記パネルは、前記光源からの光が前記パネルの少なくとも一つ端部内に入力され、及びその中で導かれるように前記光源と連結して配置されている段階と、前記前平面上に複数の光抽出体を印刷する段階であって、前記複数の光抽出体は、前記前平面上で入射する光を反射し、及び前記後平面２２０４を通して前記光源からの光を抽出する段階と、を含んでいる。
【００５０】
図２３は、一つの実施形態に従う照明器具を製造する方法２３００を描写しているブロック図である。方法２３００は、シート２３０２上に複数の表面抽出ドットを印刷し、前記シートが前記複数の光抽出ドットと前記パネル２３０４との間に配置されるように、前平面及び後平面を有する少なくとも部分的に透明な光パネルの表面に前記シートを結合する段階を含んでいる。方法２３００において、前記結合する段階は、前記光抽出ドットは、前記パネル前方と後方の表面の間で伝搬する光を抽出するように、前記シートを、前記パネルの屈折率に等しいかそれより低い屈折率を有する接着剤を用いて、前記パネルに取り付ける段階を備えている。
【００５１】
前述の説明は、本発明の所定の実施形態を詳細に述べている。しかしながら、前述したものがどれほど詳細に文章で示されているとしても、本発明は多くの方法で実施されることができる。上で同様に示されたように、特定の専門用語の利用は、本発明の所定の特性または態様を説明するとき、前記専門用語に関連している本発明の特性または態様の任意の具体的な特徴を含むことに制限されるようにここで前記専門用語が再定義されていることを示すように取られるべきでない。本発明の範囲はそれ故、添付の特許請求の範囲及びそれに関する任意の等価物に関連して構成されるべきである。
【符号の説明】
【００５２】
１００  プライバシースクリーン
１０１  パネル
１０３  光源
１０５  物体
１０６  光転向ファセット
１０７  光抽出ドット／非抽出ドット
１０９  結合材料
１１１  拡散粒子
１１３  隔離層
１２１  内層
１２３  外層
１２５  反射器
１２７  拡散器
１３１  一側
１３３  パネル側
２１００  プライバシースクリーン
２１０２  ドット印刷フィルム
２１０４  接着フィルム
２１０６  前平面
２１０８  後平面
【図１】
0005342016.tif 000002
【図２】
0005342016.tif 000003
【図３】
0005342016.tif 000004
【図４】
0005342016.tif 000005
【図５】
0005342016.tif 000006
【図６】
0005342016.tif 000007
【図７】
0005342016.tif 000008
【図８】
0005342016.tif 000009
【図９】
0005342016.tif 000010
【図１０】
0005342016.tif 000011
【図１１】
0005342016.tif 000012
【図１２】
0005342016.tif 000013
【図１３】
0005342016.tif 000014
【図１４】
0005342016.tif 000015
【図１５】
0005342016.tif 000016
【図１６】
0005342016.tif 000017
【図１７】
0005342016.tif 000018
【図１８】
0005342016.tif 000019
【図１９】
0005342016.tif 000020
【図２０】
0005342016.tif 000021
【図２１】
0005342016.tif 000022
【図２２】
0005342016.tif 000023
【図２３】
0005342016.tif 000024